(57)【特許請求の範囲】
【請求項１】
座部（３）と背凭れ部（２）とを有し、背凭れ部（２）に、施療子（１８，１９）を有するマッサージ器（７）が設けられた椅子型マッサージ機において、
背凭れ部（２）の上部前面に、互いに厚さの異なる第一枕体（３５）と第二枕体（３６）が、互いに前後に重なり合うように設けられ、
前記第一枕体（３５）と前記第二枕体（３６）は、それぞれの上端に可撓性を有する連結片（４１，４２）が設けられ、
前記連結片（４１，４２）は、それぞれの両面に面ファスナー、チャック、又はボタン式のファスナーで構成される装着部材（４１Ａ，４１Ｂ，４２Ａ，４２Ｂ）が設けられ、
前記第一枕体（３５）が有する前記連結片（４１）の前面に設けられた前記装着部材（４１Ａ）と前記第二枕体（３６）が有する前記連結片（４２）の後面に設けられた前記装着部材（４２Ｂ）とが着脱自在であり、且つ、前記第一枕体（３５）が有する前記連結片（４１）の後面に設けられた前記装着部材（４１Ｂ）と前記第二枕体（３６）が有する前記連結片（４２）の前面に設けられた前記装着部材（４２Ａ）とが着脱自在であり、
更に、前記第一枕体（３５）と前記第二枕体（３６）は、背凭れ部（２）の上部前面に対してそれぞれ別個に着脱自在であり、
前記第一枕体（３５）と前記第二枕体（３６）は、背凭れ部（２）の上部前面で前後に重なり合う個数を変更可能となるように、背凭れ部（２）の上部前面から上部後面側にそれぞれ退避可能に構成されていることを特徴とする椅子型マッサージ機。
【請求項２】
背凭れ部（２）の上部前面に、前記第一枕体（３５）と第二枕体（３６）が、使用者の頭頸部の位置に適合するように、上下方向に位置変更可能に設けられていることを特徴とする請求項１に記載の椅子型マッサージ機。
【請求項３】
前記背凭れ部（２）は、背凭れ基板（２５）を具備し、
前記背凭れ基板（２５）は、左右方向一対の側壁（２７）と該一対の側壁（２７）の上端部を連結する上壁（２８）とを備えて、上壁（２８）下方の左右一対の側壁（２７）間に開口窓（２９）が設けられ、前記背凭れ部（２）の背凭れ基板（２５）の後方に、背凭れ基板（２５）の開口窓（２９）に対応して前記マッサージ器（７）が上下移動自在に設けられ、マッサージ器（７）の前記施療子（１８，１９）が背凭れ基板（２５）の開口窓（２９）から該背凭れ基板（２５）の前方に突出されて、使用者の上半身を、施療子（１８，１９）で揉み及び叩きによるマッサージをするように構成され、
前記第一枕体（３５）と第二枕体（３６）が、背凭れ部（２）の上部前面に設けられ、
第一枕体（３５）と第二枕体（３６）の左右両端部が背凭れ基板（２５）の側壁（２７）の前方に対応しかつ第一枕体（３５）と第二枕体（３６）の左右方向中央部が背凭れ基板（２５）の開口窓（２９）の前方に対応するように、第一枕体（３５）と第二枕体（３６）が背凭れ部（２）の上部前面に配置されていることを特徴とする請求項１又は２に記載の椅子型マッサージ機。
【発明の詳細な説明】
【０００１】
【産業上の利用分野】
本発明は、座部と背凭れ部とを有する椅子型マッサージ機に関するものである。
【０００２】
【従来の技術】
座部と背凭れ部とを有する椅子型マッサージ機には、背凭れ部に、マッサージ動作する施療子を有するマッサージ器が使用者の人体に沿って昇降自在に設けられ、施療子に揉み及び叩きによるマッサージをさせるようにしたものがあり（例えば特開平９−２６２２６３号公報）、この種の従来の椅子型マッサージ機には、背凭れ部の上部前面に、枕体を設けるようにしたものもある。
【０００３】
【発明が解決しようとする課題】
しかし、従来の椅子型マッサージ機では、背凭れ部の上部前面に１個の枕体を配置固定しただけであるため、十分なクッション機能等を得るために枕体を厚手に形成した場合には、前記マッサージ器７の施療子で使用者の頭頸部をマッサージする際には、枕体によって施療子によるマッサージを著しく弱めることとなり、使用者の頭頸部に対して十分なマサージをすることができなくなるおそれがあった。他方、椅子型マッサージ機をマッサージ動作させないで、単にマッサージ機を椅子と使用する場合には、枕体を薄く形成していれば十分な枕体の機能を発揮することができず、快適な座り心地を得ることができなくなるおそれがあった。
【０００４】
また、マッサージ機を使用する使用者の好みや体型の相違によって、枕体の適合する厚みが異なっているが、従来では使用者の好み等によって枕体の前後の厚みを変更することができず、特に複数の者が椅子型マッサージ機を使用する場合、複数の使用者に対してそれぞれ適合するように枕体の厚みを簡単に変更することができず、不便であった。
さらに、椅子型マッサージ機を使用する使用者の座高等の体型の相違によって、それぞれの使用者に合う枕体の上下方向の配置位置が異なっているが、使用者に適合する位置に枕体の上下位置を簡単に変更することも困難であった。
【０００５】
本発明は、上記問題点に鑑み、使用者の体型や好みに合うように枕体を簡単にセットできるようにしたものである。
【０００６】
【課題を解決するための手段】
上記問題点を解決する本発明の技術手段は、座部３と背凭れ部２とを有し、背凭れ部２に、施療子１８，１９を有するマッサージ器７が設けられた椅子型マッサージ機において、背凭れ部２の上部前面に、互いに厚さの異なる第一枕体３５と第二枕体３６が、互いに前後に重なり合うように設けられ、前記第一枕体３５と前記第二枕体３６は、それぞれの上端に可撓性を有する連結片４１，４２が設けられ、前記連結片４１，４２は、それぞれの両面に面ファスナー、チャック、又はボタン式のファスナーで構成される装着部材４１Ａ，４１Ｂ，４２Ａ，４２Ｂが設けられ、前記第一枕体３５が有する前記連結片４１の前面に設けられた前記装着部材４１Ａと前記第二枕体３６が有する前記連結片４２の後面に設けられた前記装着部材４２Ｂとが着脱自在であり、且つ、前記第一枕体３５が有する前記連結片４１の後面に設けられた前記装着部材４１Ｂと前記第二枕体３６が有する前記連結片４２の前面に設けられた前記装着部材４２Ａとが着脱自在であり、更に、前記第一枕体３５と前記第二枕体３６は、背凭れ部２の上部前面に対してそれぞれ別個に着脱自在であり、前記第一枕体３５と前記第二枕体３６は、背凭れ部２の上部前面で前後に重なり合う個数を変更可能となるように、背凭れ部２の上部前面から上部後面側にそれぞれ退避可能に構成されている点にある。
【０００７】
本発明の他の技術手段は、前記複数の枕体３５，３６は、互いに厚さが異なっている点にある。
本発明の他の技術手段は、座部３と背凭れ部２とを有し、背凭れ部２に、施療子１８，１９を有するマッサージ器７が設けられた椅子型マッサージ機において、
背凭れ部２の上部前面に枕部材４４が設けられ、該枕部材４４が厚さ変更可能に構成されている点にある。
【０００８】
本発明の他の技術手段は、背凭れ部２の上部前面に、前記第一枕体３５と第二枕体３６が、使用者の頭頸部の位置に適合するように、上下方向に位置変更可能に設けられている点にある。本発明の他の技術手段は、前記背凭れ部２は、背凭れ基板２５を具備し、前記背凭れ基板２５は、左右方向一対の側壁２７と該一対の側壁２７の上端部を連結する上壁２８とを備えて、上壁２８下方の左右一対の側壁２７間に開口窓２９が設けられ、前記背凭れ部２の背凭れ基板２５の後方に、背凭れ基板２５の開口窓２９に対応して前記マッサージ器７が上下移動自在に設けられ、マッサージ器７の前記施療子１８，１９が背凭れ基板２５の開口窓２９から該背凭れ基板２５の前方に突出されて、使用者の上半身を、施療子１８，１９で揉み及び叩きによるマッサージをするように構成され、前記第一枕体３５と第二枕体３６が、背凭れ部２の上部前面に設けられ、第一枕体３５と第二枕体３６の左右両端部が背凭れ基板２５の側壁２７の前方に対応しかつ第一枕体３５と第二枕体３６の左右方向中央部が背凭れ基板２５の開口窓２９の前方に対応するように、第一枕体３５と第二枕体３６が背凭れ部２の上部前面に配置されている点にある。
【０００９】
本発明の他の技術手段は、前記枕体３５，３６は、背凭れ部２の上部前面で互いに前後に重なり合うように複数個設けられ、該複数の枕体３５，３６は、背凭れ部２の上部前面で前後に重なり合う個数が変更可能となるように、背凭れ部２の上部前面からそれぞれ退避可能に構成されている点にある。
【００１０】
【発明の実施の形態】
以下、図面に基づいて本発明の実施の形態を説明する。
図１〜図４は、本発明に係る椅子型マッサージ機１を示している。この椅子型マッサージ機１は、背凭れ部２、座部３、フットレスト４を備えている。
背凭れ部２は、リクライニング装置により座部３後端部側を支点としてリクライニング可能に構成されており、背凭れ部２はスイッチ操作等によって後傾斜した任意の角度に調整できるようになっている。
【００１１】
前記背凭れ部２内には、使用者に揉み・叩き等のマッサージを施すためのマッサージ器７が設けられている。このマッサージ器７は、背凭れ部２の上下方向に移動自在に設けられ、使用者の頭、首、肩、腰にわたってマッサージを施すことができる。
図２に示すように、背凭れ部２内には、マッサージ機構部９が内蔵されている。このマッサージ機構部９は、マッサージ器７と、マッサージ器７の上下移動を案内するための左右一対のガイドフレーム１０とから主構成され、これらのガイドフレーム１０の間にマッサージ器７が上下移動自在に設けられている。マッサージ器７は、左右のガイドフレーム１０間に上下方向に設けられたネジ軸１２を有するネジ送り機構１３が昇降用モータ１４によって駆動されることで上下移動するように構成されている。
【００１２】
図１〜図３に示すように、前記マッサージ器７は、左右一対の第一施療子（揉み玉、マッサージ用のローラ）１８及び左右一対の第二施療子（揉み玉、マッサージ用のローラ）１９と、図示省略のマッサージ用モータと、マッサージ用モータの回転動力を施療子１８，１９に伝達して該各施療子１８，１９に揉み動作や叩き動作をさせる伝動機構２０と、支持ベース２１とを有し、支持ベース２１の後面側に前記伝動機構２０及びマッサージ用モータ等が取付られている。
また、マッサージ器７（の伝動機構２０）は、左右一対の駆動アーム２３と、各駆動アーム２３の先端部に固定された左右一対の支持アーム２４とを有し、左右一対の駆動アーム２３及び左右一対の支持アーム２４は、伝動機構２０から支持ベース２１の前方側に突出されている。
【００１３】
マッサージ器７の各施療子１８，１９は、左右に対をなすように、左右一対の支持アーム２４の上下両端部にそれぞれ取り付けられ、マッサージ用モータによる回転動力から駆動アーム２３に左右動成分を取り出すことで、マッサージ用モータの動力を左右一対の支持アーム２４に伝達して、左右に対をなす施療子１８，１９を互いに接離するように動かして揉み動作をさせると共に、マッサージ用モータによる回転動力から駆動アーム２３に前後揺動成分を取り出すことで、マッサージ用モータの動力を左右一対の支持アーム２４に伝達して、左右に対をなす施療子１８，１９を前後方向に往復動せしめて叩き動作をさせる。
【００１４】
なお、前記施療子１８，１９に揉み動作を行わせる状態と、叩き動作を行わせる状態とを、所望に応じて切換可能になっている。また、単位時間当たり比較的多い回数で叩き動作をするのに対し、減速されて揉み動作がゆっくりと行われるようになっている。
前記マッサージ機構部９の前面側に背凭れ基板２５が取り付けられ、マッサージ機構部９の後側に後部枠体２６が設けられ、背凭れ基板２５と後部枠体２６との間にマッサージ機構部９が配置されている。背凭れ基板２５及び後部枠体２６は、例えば合成樹脂製であってブロー成形により製作されている。前記マッサージ機構部９、背凭れ基板２５及び後部枠体２６の全体を覆うカバー材３１が設けられている。このカバー材３１は、布材・皮材等を縫製して製作され、背凭れ部２の外形を形成している。従って、背凭れ部２の内部に、マッサージ器７及びガイドフレーム１０等を具備するマッサージ機構部９と共に背凭れ基板２５と後部枠体２６とが具備されている。
【００１５】
前記背凭れ基板２５は、左右方向一対の側壁２７と、一対の側壁２７の上端部を連結する上壁２８と、一対の側壁２７の下端部を連結する下壁３０とを備えて、上壁２８下方の左右一対の側壁２７間に開口窓２９が設けられている。前記背凭れ部２内の背凭れ基板２５の後方に、背凭れ基板２５の開口窓２９に対応してマッサージ器７が上下移動自在に設けられ、マッサージ器７の左右一対の支持アーム２４及び施療子１８，１９が背凭れ基板２５の開口窓２９から該背凭れ基板２５の前方に突出されて、使用者の上半身を、カバー材３１を介して施療子１８，１９で前記揉み動作及び叩き動作によるマッサージをするように構成されている。
【００１６】
従って、背凭れ基板２５の開口窓２９は、上下方向に移動自在なマッサージ器７の施療子１８，１９が使用者の身体に作用するのを背凭れ基板２５が阻害しないように形成したもので、施療子１８，１９によるマッサージはこの開口窓２９を通じてなされ、マッサージ機１に着座した使用者の背中は、実質的に背凭れ基板２５の左右の側壁２７で支持され、使用者の頭頸部は背凭れ基板２５の上壁２８等で支持される。
前記背凭れ部２の前面には、クッション性を有する背パッド３３が着脱自在に設けられている。また、背凭れ部２の上部前面には、背パッド３３上から第一枕体３５と第二枕体３６とが設けられ、第一枕体３５と第二枕体３６とは、互いに前後に重なり合うように配置されている。
【００１７】
図３に示すように、背凭れ部２の上部前面に設けられた第一枕体３５及び第二枕体３６は、背凭れ基板２５の左右幅と略同一の左右幅を有し、第一枕体３５及び第二枕体３６の左右両端部が背凭れ基板２５の左右の側壁２７の前方に対応し、かつ第一枕体３５及び第二枕体３６の左右方向中央部が背凭れ基板２５の開口窓２９の前方に対応するようになっている。
また、図５にも示すように、前記カバー体３１の上端部に面ファスナー３７Ａが設けられ、前記背パッド３３の上端には、布等で構成した可撓性を有する連結片３８が突設され、連結片３８の両面に面ファスナー３８Ａ，３８Ｂが設けられている。また、第一枕体３５の上端に、布等で構成した可撓性を有する連結片４１が突設され、連結片４１の両面に面ファスナー４１Ａ，４１Ｂが設けられている。第二枕体３６の上端に、布等で構成した可撓性を有する４２が突設され、連結片４２の両面に面ファスナー４２Ａ，４２Ｂが設けられている。前記面ファスナー３７Ａ，３８Ａ，４１Ａ，４２Ａと面ファスナー３８Ｂ，４１Ｂ，４２Ｂとは互いに着脱自在に接着可能に構成されている。
【００１８】
従って、図１に示すように、面ファスナー３７Ａ，３８Ｂを介して、背凭れ部２のカバー体３１の上端部に背パッド３３の連結片３８を接着することにより、背凭れ部２の前面に背パッド３３が着脱自在に保持される。また、面ファスナー３８Ａ，４１Ｂ，４１Ａ，４２Ｂを介して、背パッド３３の連結片３８に、第一枕体３５の連結片４１、第二枕体３６の連結片４２を順次接着することにより、背パッド３３上から、背凭れ部２の上部前面に、第一枕体３５と第二枕体３６とが不測に位置ずれしないように着脱自在に保持されるようになっている。
【００１９】
前記第一枕体３５と第二枕体３６とで枕部材４４が構成され、枕部材４４の第一枕体３５と第二枕体３６とは互いに厚さが異なっており、第一枕体３５は第二枕体３６よりも薄く形成されている。
前記枕部材４４の第一枕体３５と第二枕体３６とは背凭れ部２の上部前面に対してそれぞれ別個に着脱可能であり、従って、図１に示すように背凭れ部２の上部前面に、第一枕体３５と第二枕体３６とを前後に重ねて装着できると共に、図１に鎖線で示すように連結片４１，４２を後方に曲げることによって、第一枕体３５又は第二枕体３６のいずれか一方又は両方を背凭れ部２の上部後面側に配置して、第一枕体３５又は第二枕体３６の一方又は両方を、背凭れ部２の上部前面からそれぞれ退避させることが可能である。また、図７に示すように背凭れ部２の上部前面から第二枕体３６を取り外すことにより退避させて、第一枕体３５のみを背凭れ部２の上部前面に装着し、又は図８に示すように背凭れ部２の上部前面から第一枕体３５を取り外すことにより退避させて、第二枕体３６のみを背凭れ部２の上部前面に装着することができる。これらにより、背凭れ部２の上部前面で前後に重なり合う枕体の個数が変更可能であり、枕部材４４の前後方向の厚さを、背凭れ部２の上部前面に第一枕体３５及び第二枕体３６を装着した場合と第一枕体３５のみを装着した場合と第二枕体３６のみを装着した場合の３通りに変更できる。
【００２０】
また、枕部材４４の第一枕体３５及び第二枕体３６は、例えば、図１又は図６の鎖線で示すように、第一枕体３５及び第二枕体３６の上端が背パッド３３の上端に略一致して、第一枕体３５及び第二枕体３６の上部が背凭れ部２の背凭れ基板２５の上壁２８前方に対応した配置位置から、図６に実線で示すように、第一枕体３５及び第二枕体３６の上端が背パッド３３の上端よりも低い位置に下がって、第一枕体３５及び第二枕体３６の上端部が背凭れ部２の背凭れ基板２５の上壁２８よりも下がった配置位置にもセットすることができて、枕部材４４乃至枕体３５，３６は、背凭れ部２の上部前面に、面ファスナー３８Ｂ，４１Ａ，４１Ｂ，４２Ａ，４２Ｂの範囲内で、上下方向に位置変更可能になっている。
【００２１】
上記実施の形態によれば、使用者がマッサージ機１に座って、マッサージを受ける場合には、枕部材４４の第一枕体３５又は第二枕体３６のいずれか一方を、背凭れ部２の上部前面に装着しておけばよく、第一枕体３５又は第二枕体３６の装着により、使用者の頭頸部が背中よりもやや前になって、使用者はより自然でリラックス状態になり、施療子１８，１９の揉み動作又は叩き動作によるマッサージをリラックスした状態で受けることができる。
そして、使用者が頭頸部に対してより強いマッサージを所望する場合には、第一枕体３５及び第二枕体３６の両方を背凭れ部２の上部前面から取り外すことにより、又は図１に鎖線で示すように第一枕体３５及び第二枕体３６の両方を背凭れ部２の上部前面から退避させることにより、施療子１８，１９の揉み動作又は叩きで動作によるマッサージを枕体を介することなく頭頸部に受けることができ、使用者の所望する強めのマッサージを簡単に受けることが可能になる。
【００２２】
また、マッサージ機１をマッサージ動作させずに単に椅子として使用する場合には、図１又は図６に実線で示すように、第一枕体３５と第二枕体３６の両方を背凭れ部２の上部前面に装着しておくことにより、よりリラックスした状態で、マッサージ機１に座ることができ、非常に便利である。
また、座高の低い者がマッサージ機１を使用する場合等には、図６に実線で示すように、第一枕体３５及び第二枕体３６を背凭れ部２の背凭れ基板２５の上壁２８よりも下がった配置位置にもセットすることにより、座高の低い者でも枕部材４４乃至枕体３５，３６を好適に使用できて、椅子型マッサージ機１を良好に使用することができる。しかも、このように背凭れ部２の上部前面に対して、第一枕体３５及び第二枕体３６を、図６に実線で示すように下方にずらして配置したときでも、第一枕体３５及び第二枕体３６の左右両端部が背凭れ基板２５の左右の側壁２７の前方に対応して、第一枕体３５及び第二枕体３６の左右両端部が、背凭れ基板２５の左右の側壁２７で受けられるため、座高の低い使用者等の頭頸部が背凭れ基板２５の上壁２８に対応する位置よりも低い位置になっても、使用者の頭頸部を第一枕体３５又は第二枕体３６を介して背凭れ基板２５の左右の側壁２７で十分支えることができ、第一枕体３５、第二枕体３６が使用者の頭頸部の重みによって、枕体３５，３６が背凭れ基板２５の開口窓２９から後方に大きく入り込むような不都合もなくなる。
【００２３】
図９は他の実施形態を示し、１個の枕体により構成した枕部材４４を背凭れ部２の上部前面に設けている。そして、枕部材４４を支持する手段として、背凭れ部２の上部前面に左右一対の支持杆５２が上下方向に配置固定され、この左右一対の支持杆５２に枕部材４４の左右両側が上下摺動自在に外嵌保持され、これにより、枕部材４４が背凭れ部２の前面に上下調整自在に設けられている。支持杆５２の枕部材４４上方に、蛇腹部材５４が支持杆５２に外嵌するように設けられている。使用者が枕部材４４を上方移動させながらマッサージ機１に座ると、枕部材４４が自重又は蛇腹部材５４の付勢力によって自動的に下方に移動し、枕部材４４の下端部が使用者の肩に接当して停止し、これにより枕部材４４が使用者の頭頸部に配置されるようになっている。その他の点は前記実施の形態の場合同様の構成である。なお、前記蛇腹部材５４に代えてコイルバネを支持杆５２に外嵌するように設けてもよい。
【００２４】
従って、この場合、使用者の体格や座高に合わせて、枕部材４４を自動的に上下調整することができ、マッサージ機１を良好に使用することができる。
なお、前記実施の形態では、枕部材４４を、第一枕体３５を第二枕体３６により構成しているが、これに代え、枕部材４４を１個又は３個以上の枕体により構成するようにしてもよい。
また、前記実施の形態では、枕部材４４乃至枕体を面ファスナーによって背凭れ部２の上部前面に着脱可能に装着できるようにしているが、この面ファスナーに代えて、チャック又はボタン式のファスナーによって枕部材４４乃至枕体を背凭れ部２の上部前面に着脱自在に装着するようにしてもよい。
【００２５】
また、前記実施の形態では、枕部材４４を背凭れ部２の上部前面に装着する枕体の個数を変更することによって枕部材４４を前後方向に厚さ変更可能に構成しているが、これに代え、例えば枕部材４４を空気の給排により膨張収縮動作する袋体等により構成して、枕部材４４を、空気の給排調整による膨張収縮動作によって前後方向に厚さ変更できるようにしてもよい。
【００２６】
【発明の効果】
本発明によれば、使用者の体型や好みに適合するように枕体３５，３６乃至枕部材４４を背凭れ部２の上部前面に簡単にセットすることができる。
【図面の簡単な説明】
【図１】本発明の一実施の形態を示すマッサージ機の上部の側面断面図である。
【図２】同背凭れ部の分解斜視図である。
【図３】同背凭れ部の平面断面図である。
【図４】同マッサージ機の全体斜視図である。
【図５】同背凭れ部に装着される背パッド及び枕部材の分解斜視図である。
【図６】同枕部材を装着位置を変更した場合のマッサージ機の上部の側面断面図である。
【図７】同枕部材の厚さを変更した場合のマッサージ機の上部の側面断面図である。
【図８】同枕部材の厚さを変更した場合のマッサージ機の上部の側面断面図である。
【図９】他の実施形態を示すマッサージ機の上部の斜視図である。
【符号の説明】
１    椅子型マッサージ機
２    背凭れ部
３    座部
７    マッサージ器
１８  第一施療子
１９  第二施療子
２５  背凭れ基板
２７  側壁
２８  上壁
２９  開口窓
３５  第一枕体
３６  第二枕体
４４  枕部材
【図１】
0004275843.tif 000002
【図２】
0004275843.tif 000003
【図３】
0004275843.tif 000004
【図４】
0004275843.tif 000005
【図５】
0004275843.tif 000006
【図６】
0004275843.tif 000007
【図７】
0004275843.tif 000008
【図８】
0004275843.tif 000009
【図９】
0004275843.tif 000010